(57)【要約】【課題】  他の機器に映像信号を送信する機能を備えても、エンコーダ、デコーダをそれぞれ１つ設けるだけで済むインターホン装置を提供する。【解決手段】  玄関子機１に、カメラモジュール６が撮像した画像を第１画像サイズと、第２画像サイズとの２種類の画像サイズに変更する画像サイズ変更部７と、変更された個々の画像サイズを居室親機２が認識するためのヘッダを生成するヘッダ生成部８ａ，８ｂと、変更された画像サイズの画像データを順次整列する画像データ転送部９と、エンコーダ１０を設けた。そして、居室親機２に、玄関子機１より伝送された画像データを、画像サイズ毎に振り分けて出力する画像振り分け部１６と、振り分けられた画像サイズのうち第２画像サイズの画像データのフレームレートを変更制御するフレームレート制御部１７と、モニタ２０に表示させる第１画像サイズの画像データを伸張処理するデコーダ１９を設けた。【選択図】  図１
2010081217.tif 000002
【特許請求の範囲】
【請求項１】
来訪者を撮像するためのカメラ及び居住者を呼び出す機能を備えた玄関子機と、前記カメラの撮像画像を表示するモニタ及び前記玄関子機からの呼び出しに応答する機能を備えた居室親機とを有するインターホン装置において、
前記玄関子機は、前記カメラが撮像した画像を前記居室親機のモニタに表示するための所定の第１画像サイズと、前記第１画像サイズと異なる第２画像サイズとの少なくとも２種類の画像サイズに変更する画像サイズ変更部と、変更された個々の画像サイズを前記居室親機が認識するためのヘッダを生成するヘッダ生成部と、変更された複数の画像サイズの画像データを整列して順次送信する画像データ転送部と、整列された画像データを圧縮するエンコーダとを備える一方、
前記居室親機は、前記玄関子機より伝送された画像データを、画像サイズ毎に振り分けて出力する画像振り分け部と、振り分けられた画像サイズのうち少なくとも前記第２画像サイズの画像データのフレームレートを変更制御するフレームレート制御部と、前記モニタに表示するために画像データを伸張するデコーダとを備えたことを特徴とするインターホン装置。
【請求項２】
前記第２画像サイズの画像データが、居住者が携行可能で前記玄関子機からの呼び出しに応答することが可能なワイヤレス増設親機に送信する画像データであり、
前記フレームレート制御部は、前記第２画像サイズの画像データフレームレートを前記ワイヤレス増設親機に合わせて変更することを特徴とする請求項１記載のインターホン装置。
【請求項３】
前記画像サイズ変更部に入力される画像データは、プログレッシブ画像データであると共に、前記居室親機に伝送される画像フレームは６０フレーム／秒で実施され、
前記画像サイズ変更部は、前記プログレッシブ画像データから生成する全ての画像サイズの画像データを前記第１画像サイズ、前記第２画像サイズと順に全ての画像サイズを生成し、６０フレームを画像サイズ数で等分割したフレーム数／秒で個々の画像サイズの画像フレームを生成することを特徴とする請求項１又は２記載のインターホン装置。
【請求項４】
前記画像サイズ変更部は、第１画像サイズと第２画像サイズの２種類の画像サイズに変更して、それぞれ３０フレーム／秒で交互に出力し、
前記フレームレート制御部は、前記第２画像サイズの画像データのフレーム転送レートを、３０フレーム／秒から１フレーム／秒の間で変更可能であることを特徴とする請求項１乃至３の何れかに記載のインターホン装置。
【発明の詳細な説明】
【技術分野】
【０００１】
本発明は来訪者を撮像するためのカメラを備えたインターホン装置に関し、特にその撮像した映像を居室親機のモニタに表示する以外に他の機器にも送信する機能を備えたインターホン装置に関する。
【背景技術】
【０００２】
従来より、玄関子機に来訪者を撮像するためのカメラを備え、そのカメラが撮像した映像を居室親機のモニタに表示するのに加えて、他の機器にも送信して表示可能としたインターホン装置がある。例えば、特許文献１では玄関子機から伝送された映像を居室親機のモニタに表示するのに加えて、伝送されたアナログ信号の映像信号をデジタル化して複数の画像データとし、データ圧縮してインターネットを介してセンターサーバに送信する構成が開示されている。
一方、玄関子機からデジタル化した映像信号を出力する構成のものがある。例えば特許文献２では、玄関子機側でカメラが撮像した画像データを圧縮して居室親機に伝送し、居室親機で画像データを伸張してモニタに表示している。
【０００３】
【特許文献１】特開２００４−２６０３９０号公報
【特許文献２】特開２００１−１２８１５７号公報
【発明の開示】
【発明が解決しようとする課題】
【０００４】
上記特許文献１のインターホン装置のように、玄関子機から居室親機へアナログ信号で映像信号を伝送する構成の場合は、伝送線を介して玄関子機から居室親機へ伝送できる情報量が限られているめ、複数の映像信号を玄関子機から同時に伝送することが出来なかった。そのため、居室親機以外に他の機器へ映像信号を伝送する場合は、画像サイズの変更等のデータ加工は特許文献１に記載された構成のように居室親機で行う構成となっていた。
【０００５】
ところが、映像信号をデジタル化して玄関子機から送出する構成の場合、上記特許文献１のインターホン装置のように、居室親機側で入手した映像信号を加工して他の機器へ送信する構成とすると、図３に示すように、居室親機には玄関子機側でエンコードして圧縮した映像信号をデコードする例えばＪＰＥＧデコーダ等の回路に加えて、他の機器へ送信する際にデータを圧縮するためのエンコーダが必要となる。また、モニタに表示された映像を記憶しようとするとその際にもデータを圧縮するエンコーダが必要であり、インターホン装置全体では２つ或いは３つのエンコーダが必要となった。
【０００６】
ここで、図３を説明すると、３１は玄関子機、３２は居室親機であり、玄関子機３１にはカメラモジュール３４、ＪＰＥＧエンコーダ３５、変調回路３６が設けられ、居室親機３２には復調回路３７、ＪＰＥＧデコーダ３８、画像サイズを第１画像サイズ及び第２画像サイズの２種類に変更する画像サイズ変更部３９、変更された第１画像サイズの映像を表示するモニタ４０、モニタ４０に表示された映像を録画するためのＪＰＥＧエンコーダ４１、録画部４２、変更した第２画像サイズの画像データを圧縮するＪＰＥＧエンコーダ４３、ワイヤレス増設親機に送信するためのワイヤレス送信部４４が設けられている。
【０００７】
そこで、本発明はこのような問題点に鑑み、子機から親機に対してデジタル化した映像信号を送信する構成のインターホン装置の場合に、他の機器に映像信号を送信する機能を備えても、エンコーダ、デコーダをそれぞれ１つ設けるだけで済むインターホン装置を提供することを目的としている。
【課題を解決するための手段】
【０００８】
上記課題を解決する為に、請求項１の発明は、来訪者を撮像するためのカメラ及び居住者を呼び出す機能を備えた玄関子機と、カメラの撮像画像を表示するモニタ及び玄関子機からの呼び出しに応答する機能を備えた居室親機とを有するインターホン装置において、玄関子機は、カメラが撮像した画像を居室親機のモニタに表示するための所定の第１画像サイズと、第１画像サイズと異なる第２画像サイズとの少なくとも２種類の画像サイズに変更する画像サイズ変更部と、変更された個々の画像サイズを居室親機が認識するためのヘッダを生成するヘッダ生成部と、変更された複数の画像サイズの画像データを整列して順次送信する画像データ転送部と、整列された画像データを圧縮するエンコーダとを備える一方、居室親機は、玄関子機より伝送された画像データを、画像サイズ毎に振り分けて出力する画像振り分け部と、振り分けられた画像サイズのうち少なくとも第２画像サイズの画像データのフレームレートを変更制御するフレームレート制御部と、モニタに表示するために画像データを伸張するデコーダとを備えたことを特徴とする。
この構成によれば、玄関子機に画像データ転送部が出力するデータをエンコードする１つのエンコーダを設け、居室親機に自身のモニタに画像を表示するためのデコーダを１つ設けるだけで良いため、インターホン装置全体でエンコーダ及びデコーダを一対設けるだけで良く、回路構成を最小限の構成にできる。
【０００９】
請求項２の発明は、請求項１に記載の発明において、第２画像サイズの画像データが、居住者が携行可能で玄関子機からの呼び出しに応答することが可能なワイヤレス増設親機に送信する画像データであり、フレームレート制御部は、第２画像サイズの画像データフレームレートをワイヤレス増設親機に合わせて変更することを特徴とする。
この構成によれば、ワイヤレス増設親機のモニタの画像サイズが居室親機と異なる場合でも、ワイヤレス増設親機に画像を表示できる。
【００１０】
請求項３の発明は、請求項１又は２に記載の発明において、画像サイズ変更部に入力される画像データは、プログレッシブ画像データであると共に、居室親機に伝送される画像フレームは６０フレーム／秒で実施され、画像サイズ変更部は、プログレッシブ画像データから生成する全ての画像サイズの画像データを第１画像サイズ、第２画像サイズと順に全ての画像サイズを生成し、６０フレームを画像サイズ数で等分割したフレーム数／秒で個々の画像サイズの画像フレームを生成することを特徴とする。
この構成によれば、従来のフレームレートで全体の画像フレームを伝送するので、各回路の構成が複雑になることがない。
【００１１】
請求項４の発明は、請求項１乃至３の何れかに記載の発明において、画像サイズ変更部は、第１画像サイズと第２画像サイズの２種類の画像サイズに変更して、それぞれ３０フレーム／秒で交互に出力し、フレームレート制御部は、第２画像サイズの画像データのフレーム転送レートを、３０フレーム／秒から１フレーム／秒の間で変更可能であることを特徴とする。
この構成によれば、ワイヤレス増設親機或いは他の機器に送信する画像データを、送信先の機器の状況やデータ伝送スピードに応じて変更でき、画像データを送信できる機器の選択幅が広がる。
【発明の効果】
【００１２】
本発明によれば、玄関子機に画像データ転送部が出力するデータをエンコードする１つのエンコーダを設け、居室親機に自身のモニタに画像を表示するためのデコーダを１つ設けるだけで良いため、インターホン装置全体でエンコーダ及びデコーダを一対設けるだけで良く、回路構成を最小限の構成にできる。
【発明を実施するための最良の形態】
【００１３】
以下、本発明を具体化した実施の形態を、図面に基づいて詳細に説明する。図１は本発明に係るインターホン装置の一例を示し、機器の要部を回路ブロックで示した構成図である。図１において、１は玄関に設置されて居住者を呼び出すための玄関子機、２は住戸内に設置されて玄関子機１からの呼び出しに応答するための居室親機、３はワイヤレス増設親機（以下、単に「増設親機」とする）である。玄関子機１と居室親機２は伝送線Ｌ１で接続されている。
【００１４】
玄関子機１は、来訪者を撮像するカメラを備えたカメラモジュール６、カメラモジュール６から出力される映像信号から、第１画像サイズ及び第２画像サイズの２種類のサイズの画像データを生成する画像サイズ変更部７、生成した第１画像サイズの画像データにヘッダを付加する第１画像サイズヘッダ生成部８ａ、第２画像サイズの画像データにヘッダを付加する第画像サイズ２ヘッダ生成部８ｂ、ヘッダが付加された２種類の画像データを整列させて出力する画像データ転送部９、データを例えばＪＰＥＧで圧縮するエンコーダ１０、伝送路を介して画像データを居室親機２へ送信するための変調回路１１等を備えている。
尚、静止画である複数の画像データを連続して表示させることで映像が形成されるもので、映像、画像等の表現は同一の情報を示すものである。
【００１５】
居室親機２は、伝送された画像データを復調する復調回路１５、画像データを画像サイズ別に振り分ける画像振り分け部１６、振り分けられた第２画像サイズの画像データのフレームレートをワイヤレス増設親機３に合わせて変更するフレームレート制御部１７、ワイヤレス増設親機３に無線送信するワイヤレス送信部１８、振り分けられた第１画像サイズの画像データを例えばＪＰＥＧで伸張するデコーダ１９、ＬＣＤから成り画像（映像）を表示するモニタ２０、モニタ２０に表示される映像を録画する録画部２１等を備えている。
【００１６】
このように構成されたインターホン装置は次のように動作する。但し、インターホン装置の基本動作である玄関子機１から居室親機２の呼び出し、居室親機２によるその応答操作に伴う動作は従来と同様であるため説明を省略し、ここでは玄関子機１の呼出操作により撮像を開始したカメラモジュール６の動作、及びそれに伴う映像信号の流れを中心に説明する。
【００１７】
カメラモジュール６が撮像を開始すると、ＶＳＹＮＣ信号に合わせて映像信号が出力される。このとき、映像信号はプログレッシブ走査方式の信号で出力され、例えば６０フレーム／秒の速度で且つＱＶＧＡの解像度で出力される。カメラモジュール６から出力されたこの映像信号は、画像サイズ変更部において、ＱＶＧＡ（第１画像サイズ）とＱＱＶＧＡ（第２画像サイズ）に変更される。尚、ＱＶＧＡは居室親機２のモニタ２０の表示サイズであり、ＱＱＶＧＡはワイヤレス増設親機３のモニタ３ａに表示される表示サイズとなっている。
【００１８】
こうして生成された、２つの画像サイズの画像データは図２に示すタイミングで画像サイズ変更部から送出される。図２はＶＳＹＮＣ信号と各画像データの関係を示し、ＱＶＧＡとＱＱＶＧＡが交互に送出される状態を示している。この送出操作により、何れの画像サイズも１秒間に３０フレームずつ送出される。尚、ここでは２種類の画像サイズに変更されて出力する構成を示しているが、例えば３種類の画像サイズに変更される場合は、それぞれの画像データを２０フレーム／秒として順次伝送される。
【００１９】
画像サイズ変更部７から送出された画像データは、第１画像サイズヘッダ生成部８ａでＱＶＧＡのデータに所定のヘッダが付加され、第２画像サイズヘッダ生成部８ｂでＱＱＶＧＡのデータに所定のヘッダが付加される。ヘッダが付加された画像データは、画像データ転送部９で再び図２に示すデータ配列になり、エンコーダ１０でデータ圧縮され、変調回路１１で周波数変調されて居室親機２に向けて送出される。
【００２０】
尚、第１画像サイズヘッダ生成部８ａ、第２画像サイズヘッダ生成部８ｂと独立して設けた画像サイズヘッダ生成部は、入力された画像サイズを検出する機能を設ければ１つのヘッダ生成部とすることができる。
【００２１】
映像信号が伝送された居室親機２は、復調回路１５で信号を復調し、画像振り分け部１６で画像サイズ毎に振り分けられる。画像振り分け部１６は、画像データのヘッダを解析し、第１画像サイズの画像データをデコーダ１９及び録画部２１に送信する。一方、第２画像サイズの画像データはフレームレート制御部１７に送信する。
デコーダ１９に送信された画像データは、圧縮されているためここで伸張処理され、モニタ２０に送出される。こうして、モニタ２０にカメラモジュール６の撮像映像が表示される。また、録画部２１において圧縮された状態の画像データが録画される。
【００２２】
一方、フレームレート制御部１７に送信された第２画像サイズの画像データは、送信先のワイヤレス増設親機３に合わせてフレームレートが変更され、ワイヤレス送信部１８からワイヤレス増設親機３に向けて無線送信される。例えば、３０フレーム／秒で玄関子機１から送信された第２画像サイズの画像データが、３０フレーム／秒から１フレーム／秒の間で設定に応じて任意に変更され、ワイヤレス送信部１８から送信される。伝送速度が３２ｋｂ／秒の場合は約２フレーム／秒で送信されるし、６４ｋｂ／秒の場合は約４フレーム／秒で送信される。
【００２３】
このように、玄関子機に画像データ転送部が出力するデータをエンコードする１つのエンコーダを設け、居室親機に自身のモニタに画像を表示するためのデコーダを１つ設けるだけで居室親機で映像を表示できるし、ワイヤレス増設親機で映像を表示できる。よって、インターホン装置全体でエンコーダ及びデコーダを一対設けるだけで良く、回路構成を最小限の構成にできる。
そして、フレームレート制御部が第２画像サイズの画像データフレームレートをワイヤレス増設親機に合わせて変更するので、ワイヤレス増設親機のモニタの画像サイズが居室親機と異なる場合でも、ワイヤレス増設親機に画像を表示できる。
また、６０フレームを画像サイズ数で等分割したフレーム数／秒で個々の画像サイズの画像フレームを生成するので、従来のフレームレートで全体の画像フレームを伝送でき、各回路の構成が複雑になることがない。
更に、第２画像サイズの画像データのフレーム転送レートを、３０フレーム／秒から１フレーム／秒の間で変更できることで、ワイヤレス増設親機等に送信する画像データを、送信先の機器の状況やデータ伝送スピードに応じて変更でき、画像データを送信できる機器の選択幅が広がる。
【００２４】
尚、上記実施形態では増設親機をワイヤレス増設親機３としているが、公衆通信網を介して通話が可能な携帯電話であっても良く、例えば画像サイズ変更部７で携帯電話の画像サイズに合わせて第３画像サイズの画像データを生成すれば、携帯電話から来訪者映像を見ながら応答することが可能となる。
【図面の簡単な説明】
【００２５】
【図１】本発明に係るインターホン装置の一例を示す回路ブロック図である。
【図２】玄関子機から居室親機に送信する画像データの配列を示す図である。
【図３】居室親機で画像サイズを変更する場合のインターホン装置の回路ブロック図である。
【符号の説明】
【００２６】
１・・玄関子機、２・・居室親機、３・・ワイヤレス増設親機、６・・カメラモジュール、７・・画像サイズ変更部、８ａ・・第１画像サイズヘッダ生成部（ヘッダ生成部）、８ｂ・・第２画像サイズヘッダ生成部（ヘッダ生成部）、９・・画像データ転送部、１０・・エンコーダ、１６・・画像振り分け部、１７・・フレームレート制御部、１９・・デコーダ、２０・・モニタ。
【図１】
2010081217.tif 000003
【図２】
2010081217.tif 000004
【図３】
2010081217.tif 000005